(57)【特許請求の範囲】
【請求項１】
重金属およびアンモニアを含む廃水の処理方法であって、
廃水にアルカリ剤を添加し、アンモニアを揮発除去するアンモニア除去工程と、アンモニアを揮発除去した廃水を平均孔径が０．０３μｍ以上、３μｍ以下である濾過膜を用いて膜分離する膜分離工程とを有し、
前記濾過膜が中空糸膜であり、
前記アンモニア除去工程と膜分離工程との間に、アンモニアを揮発除去した廃水を酸化処理する酸化処理工程を有する、廃水の処理方法。
【請求項２】
前記酸化処理工程が、次亜塩素酸、亜塩素酸、過塩素酸、およびこれらの塩からなる群より選ばれる少なくとも１種の酸化剤の添加によりなされる、請求項１に記載の廃水の処理方法。
【請求項３】
前記アンモニア除去工程は、廃水を曝気することによりなされる、請求項１または２に記載の廃水の処理方法。
【請求項４】
前記酸化処理工程と膜分離工程との間に、酸化処理した排水中の重金属を沈殿分離する沈殿分離工程を有する、請求項１〜３のいずれか一項に記載の廃水の処理方法。
【請求項５】
前記アンモニア除去工程と酸化処理工程との間に、アンモニアを揮発除去した廃水中の重金属を沈殿分離する沈殿分離工程を有する、請求項１〜３のいずれか一項に記載の廃水の処理方法。
【請求項６】
重金属およびアンモニアを含む廃水の処理装置であって、
廃水にアルカリ剤を添加し、アンモニアを揮発除去するアンモニア除去手段と、アンモニアを揮発除去した廃水を膜分離する膜分離手段とを備え、
前記アンモニア除去手段と膜分離手段との間に、アンモニアを揮発除去した廃水を酸化処理する酸化処理手段を備え、
前記膜分離手段は、平均孔径が０．０３μｍ以上、３μｍ以下である濾過膜を備え、前記濾過膜が中空糸膜である、廃水の処理装置。
【請求項７】
前記アンモニア除去手段は、廃水を曝気する散気手段を備える、請求項６に記載の廃水の処理装置。
【請求項８】
酸化処理後かつ膜分離前の廃水中の重金属、またはアンモニアを揮発除去した酸化処理前の廃水中の重金属を沈殿分離する沈殿分離手段を備える、請求項６または７に記載の廃水の処理装置。
【請求項９】
前記アンモニア除去手段の下流に、酸化処理手段、沈殿分離手段、膜分離手段を順に備える、請求項８に記載の廃水の処理装置。
【発明の詳細な説明】
【技術分野】
【０００１】
本発明は、重金属を含む廃水を処理するための廃水の処理方法および処理装置に関する。
【背景技術】
【０００２】
従来、電解メッキ工程から排出されるメッキ廃水などには、銅、クロム、亜鉛、ニッケル、錫、鉛、鉄、カドミウムなどの重金属が含まれている。そのため、重金属を含む廃水は、環境面への配慮などから、通常、重金属を除去するなどの処理を行ってから排出される。
【０００３】
重金属を含む廃水の処理方法としては、例えば以下に示す方法が提案されている。
特許文献１には、廃水中の鉄、マンガン、シリカ、ふっ素などの複数の微量成分を一挙に除去する方法として、処理槽に貯留した廃水に硫酸アルミニウム（凝集剤）と酸化剤を添加した後、処理槽内に浸漬した分離膜フィルターによって生じた固形物を膜濾過する方法が開示されている。
また、特許文献２には、銅等の低濃度重金属を含む廃水を処理する方法として、硫化剤による不溶化処理の後に、酸化剤による酸化処理を行い、スラッジの凝集性を向上させる方法が開示されている。
【０００４】
近年、無電解ニッケルメッキなどの無電解メッキや、酸性亜鉛メッキが広く行われている。
しかし、無電解メッキ工程や酸性亜鉛メッキ工程から排出される廃水を処理する場合、廃水中の重金属濃度を低減するのは困難であった。
これは、無電解メッキ工程や酸性亜鉛メッキ工程においては、安定化剤やｐＨ調整剤としてアンモニアがメッキ浴に添加される場合が多いが、アンモニアが添加されたメッキ浴を使用してメッキ処理する場合、廃水中にアンモニアも含まれることが一因と考えられる。
【０００５】
特許文献３には、アンモニアを含む廃水を処理する方法として、酸化剤として空気または酸素を利用した湿式酸化により廃水からアンモニアを除去する方法が開示されている。
また、特許文献４には、アンモニア性窒素と金属塩を含む水の処理方法として、この水に亜硝酸塩を添加して加熱条件下触媒と反応させることでアンモニアを分解する方法が開示されている。
【先行技術文献】
【特許文献】
【０００６】
【特許文献１】特開２０１０−３６１８０号公報
【特許文献２】特開２００７−６９０６８号公報
【特許文献３】特公昭５９−１９７５７号公報
【特許文献４】特許第３６４４０５０号公報
【発明の概要】
【発明が解決しようとする課題】
【０００７】
しかしながら、特許文献１に記載の方法は、凝集剤を添加するため薬剤費用が増える。さらに、凝集剤を添加するとスラッジが発生するため、スラッジを処分するための費用もかかる。また、廃水中にアンモニアが含まれている場合は、重金属濃度を十分に低減することは困難であった。
特許文献２に記載の方法では、発生したスラッジの凝集性を向上することはできても、廃水中にアンモニアが含まれている場合は、重金属濃度を十分に低減することは困難であった。また、廃水中の重金属濃度を十分に低減するためには、硫化剤や凝集剤を多量に添加する必要があるが、薬剤費用が増えたり、スラッジが多量に発生するためスラッジの処分費用が増えたりする。
【０００８】
特許文献３に記載の方法では、アンモニアを分解するために高温高圧の条件にする必要がある。そのため、特許文献３に記載の方法を重金属とアンモニアを含む廃水に適用したとしても、処理を行うためのエネルギー消費量が多くなり、コストがかかる。
特許文献４に記載の方法では、アンモニアは除去されるものの、亜硝酸塩を添加する必要があるため、新たな窒素汚染源を廃水に加えることとなる。また、特許文献４に記載の方法を重金属とアンモニアを含む廃水に適用しても、十分な処理効果を得ることは容易ではなかった。
【０００９】
本発明は上記事情に鑑みてなされたもので、重金属およびアンモニアを含む廃水に対して、凝集剤を添加しなくても低コストで、かつ高度に処理でき、重金属濃度を十分に低減できる廃水の処理方法および処理装置を提供する。
【課題を解決するための手段】
【００１０】
本発明者らは鋭意検討した結果、重金属およびアンモニアを含む廃水の処理が困難となるのは、廃水中にアンモニアが含まれていると、重金属がアンモニアとアンミン錯体を形成し、廃水に安定して溶解してしまい、硫化剤や凝集剤を添加しても重金属が不溶化しにくくなることが一因であると考えた。また、特許文献４に記載のように亜硝酸塩を添加した場合も、亜硝酸と重金属とが錯体を形成することがあり、重金属が不溶化しにくくなると考えられる。
そこで、廃水中の重金属を除去する前にアンモニアを除去すれば、重金属は錯体の形態を維持できなくなり、廃水から容易に除去できるとの着想に基づき、本発明を完成するに至った。
【００１１】
すなわち、本発明の廃水の処理方法は、重金属およびアンモニアを含む廃水の処理方法であって、廃水にアルカリ剤を添加し、アンモニアを揮発除去するアンモニア除去工程と、アンモニアを揮発除去した廃水を膜分離する膜分離工程とを有することを特徴とする。
また、前記アンモニア除去工程は、廃水を曝気することによりなされることが好ましい。
さらに、前記アンモニア除去工程と膜分離工程との間に、アンモニアを揮発除去した廃水を酸化処理する酸化処理工程を有することが好ましい。
また、前記アンモニア除去工程と膜分離工程との間に、アンモニアを揮発除去した廃水中の重金属を沈殿分離する沈殿分離工程を有することが好ましい。
さらに、前記アンモニア除去工程と膜分離工程との間に、アンモニアを揮発除去した廃水を酸化処理する酸化処理工程と、酸化処理した排水中の重金属を沈殿分離する沈殿分離工程とを有することが好ましい。
また、前記アンモニア除去工程と膜分離工程との間に、アンモニアを揮発除去した廃水中の重金属を沈殿分離する沈殿分離工程と、重金属を沈殿分離した廃水を酸化処理する酸化処理工程とを有することが好ましい。
さらに、前記酸化処理工程が、次亜塩素酸、亜塩素酸、過塩素酸、およびこれらの塩からなる群より選ばれる少なくとも１種の酸化剤の添加によりなされることが好ましい。
【００１２】
また、本発明の廃水の処理装置は、重金属およびアンモニアを含む廃水の処理装置であって、廃水にアルカリ剤を添加し、アンモニアを揮発除去するアンモニア除去手段と、アンモニアを揮発除去した廃水を膜分離する膜分離手段とを備えることを特徴とする。
また、前記アンモニア除去手段は、廃水を曝気する散気手段を備えることが好ましい。
さらに、アンモニアを揮発除去した膜分離前の廃水を酸化処理する酸化処理手段を備えることが好ましい。
また、アンモニアを揮発除去した膜分離前の廃水中の重金属を沈殿分離する沈殿分離手段を備えることが好ましい。
さらに、アンモニアを揮発除去した膜分離前の廃水を酸化処理する酸化処理手段と、酸化処理後かつ膜分離前の廃水中の重金属、またはアンモニアを揮発除去した酸化処理前の廃水中の重金属を沈殿分離する沈殿分離手段とを備えることが好ましい。
また、前記アンモニア除去手段の下流に、酸化処理手段、沈殿分離手段、膜分離手段を順に備えることが好ましい。
【発明の効果】
【００１３】
本発明の廃水の処理方法および処理装置によれば、重金属およびアンモニアを含む廃水に対して、凝集剤を添加しなくても低コストで、かつ高度に処理でき、重金属濃度を十分に低減できる。
【図面の簡単な説明】
【００１４】
【図１】本発明の廃水の処理装置の一例を示す概略構成図である。
【図２】本発明の廃水の処理装置の他の例を示す概略構成図である。
【図３】本発明の廃水の処理装置の他の例を示す概略構成図である。
【図４】本発明の廃水の処理装置の他の例を示す概略構成図である。
【図５】本発明の廃水の処理装置の他の例を示す概略構成図である。
【図６】本発明の廃水の処理装置の他の例を示す概略構成図である。
【図７】本発明の廃水の処理装置の他の例を示す概略構成図である。
【発明を実施するための形態】
【００１５】
以下、本発明を詳細に説明する。
［廃水の処理装置］
図１は、本発明の廃水の処理装置の一例を示す概略構成図である。この例の廃水の処理装置１は、上流側から順に、廃水Ｗ０を一旦貯留する貯留手段１０と、アンモニア除去手段２０と、膜分離手段３０と、ｐＨ調整手段４０とを具備して構成されている。
なお、図２〜７において、図１と同じ構成要素には同一の符号を付して、その説明を省略する。
【００１６】
＜廃水＞
本発明の処理対象となる廃水Ｗ０は、例えばメッキ工場等の金属表面処理工場などから発生した廃液（被処理水）であり、重金属およびアンモニアを含む。重金属は、アンモニアとアンミン錯体を形成しやすく、その結果、廃水に安定して溶解していると考えられる。
重金属としては、クロム、銅、亜鉛、カドミウム、ニッケル、水銀、鉛、鉄などが挙げられる。これら重金属は単独で含まれていてもよいが、通常は複数の重金属が混合された状態で含まれている。
一方、アンモニアには、アンモニウム塩が含まれる。
【００１７】
なお、廃水Ｗ０中には、重金属およびアンモニアの他に、洗浄成分、界面活性剤、ルイス酸や、アンモニア以外の錯体形成化合物（例えば、クエン酸、グルコン酸、シュウ酸、酒石酸、コハク酸、シアンおよびこれらの塩等、ＥＤＴＡ，エチレンジアミン、トリエタノールアミンなど）が含まれていてもよい。以下、アンモニア以外の錯体形成化合物を「他の錯体形成化合物」という。
【００１８】
＜貯留手段＞
貯留手段１０は、金属表面処理工場などから発生した廃水Ｗ０を一旦貯留する手段である。
貯留手段１０は貯留槽１１を備える。貯留槽１１としては、廃水Ｗ０を貯留できるものであれば特に制限されない。
【００１９】
＜アンモニア除去手段＞
アンモニア除去手段２０は、アルカリ剤を添加し、廃水Ｗ０中のアンモニアをストリッピング処理や熱処理などの方法により揮発除去する手段である。
ここで、ストリッピング処理とは、不純物を含む処理対象液と、空気や水蒸気等のガスとを気液接触させて（すなわち、処理対象液を曝気させて）、液相から気相に不純物を移動させることで処理対象液から不純物を除去するプロセスのことである。
ところで、廃水中から不純物を揮発除去する場合、電離している分子は除去が困難であるため、ｐＨを調整して遊離した状態に変える必要がある。廃水中からアンモニアをストリッピング処理（アンモニアストリッピング処理）や熱処理などにより揮発除去する場合は、下記式に示すように、廃水にアルカリ剤を添加してアルカリ性とし、廃水中に含まれるアンモニア成分であるアンモニウムイオン（ＮＨ４＋）と水酸化物イオン（ＯＨ−）とを反応させ、生成したアンモニアガス（ＮＨ３）を大気中に放出させる。
ＮＨ４＋（電離状態）＋ ＯＨ− → ＮＨ３（遊離状態）＋ Ｈ２Ｏ
【００２０】
図１に示すアンモニア除去手段２０は、ストリッピング処理によりアンモニアを揮発除去する手段である。なお、本発明において、ストリッピング処理によりアンモニアを揮発除去する場合のアンモニア除去手段を「ストリッピング手段」という場合もある。
図１に示すアンモニア除去手段（ストリッピング手段）２０は、貯留手段１０から送られた廃水Ｗ０を溜めるストリッピング槽２１とストリッピング槽２１中の廃水Ｗ０にアルカリ剤を添加するアルカリ剤添加手段２２と、ストリッピング槽２１中の廃水Ｗ０の水質を検査する水質計２３と、ストリッピング槽２１中の廃水Ｗ０を曝気する散気手段２４とを備える。
【００２１】
ストリッピング槽２１としては、廃水Ｗ０を貯留できるものであれば特に制限されないが、アルカリ剤によって劣化しにくい材質のものが好ましい。
アルカリ剤添加手段２２としては、アルカリ剤を添加できるものであれば特に制限されない。
【００２２】
水質計２３は、ストリッピング槽２１中の廃水Ｗ０の水質を検査するものである。水質を検査することで、アルカリ剤の添加量の過不足を把握できる。
水質計２３としては、アンモニウムイオン濃度計、アルカリ剤濃度計、ｐＨ計などが挙げられる。
なお、この例のアンモニア除去手段（ストリッピング手段）２０は１つの水質計２３を備えているが、水質の検査方法に応じて複数種類の水質計を備えていてもよい。
【００２３】
散気手段２４は、ストリッピング槽２１中の廃水Ｗ０を曝気するものである。散気手段２４は、ストリッピング槽２１の底部に設けられ、ブロワーＢ１より送気された空気をストリッピング槽２１内に散気する。これにより、散気手段２４から連続的もしくは断続的に散気された気泡が、廃水Ｗ０の液中を通って水面から放出される。このとき、廃水Ｗ０と空気とが気液接触し、アンモニアガス（ＮＨ３）が液相から気相に移動して、大気中へ放出される。
【００２４】
アンモニア除去手段（ストリッピング手段）２０により、廃水Ｗ０中のアンモニアは揮発除去される。その結果、重金属はアンモニアとの錯体の形態を維持できなくなり、イオン化する。さらに、ストリッピング槽２１内の廃水Ｗ０は、アルカリ剤の添加によりこの時点でアルカリ性であるため、重金属は難溶解性の水酸化物（不溶化物）となり、廃水Ｗ０から析出する。
【００２５】
＜膜分離手段＞
膜分離手段３０は、アンモニア除去手段（ストリッピング手段）２０にてアンモニアを揮発除去した廃水Ｗ０を濾過水Ｗ１と膜分離濃縮水Ｗ２に膜分離する手段である。
この例の膜分離手段３０は、加圧ポンプＰ１によって加圧する方式であり、濾過膜３１を備える。
濾過膜３１としては、中空糸膜、平膜、チューブラ膜、モノリス型膜などが挙げられるが、容積充填率が高いことから中空糸膜が好ましい。
濾過膜３１として中空糸膜を用いる場合、その材質としては、セルロース、ポリオレフィン、ポリスルホン、ポリフッ化ビニリデンフロライド（ＰＶＤＦ）、ポリ四フッ化エチレン（ＰＴＦＥ）などが挙げられる。
濾過膜３１としてモノリス型膜を用いる場合は、セラミック性の膜を用いることができる。
【００２６】
濾過膜３１に形成される微細孔の平均孔径としては、一般に限外濾過膜と呼ばれる膜で平均孔径０．００１〜０．１μｍ、一般に精密濾過膜と呼ばれる膜で平均孔径０．１〜１μｍであり、本発明においてはこれらの膜を用いることが好ましい。
なお、廃水０からアンモニアを揮発除去することで生成された重金属の不溶化物の粒子径は、一般的に０．１〜１００μｍであるため、濾過膜３１の微細孔の平均孔径は０．０３μｍ以上であることが好ましい。平均孔径が０．０３μｍ未満であると、膜分離に要する圧力が大きくなるため、運転エネルギーが過大となる。一方、濾過膜３１の微細孔の平均孔径は３μｍ以下が好ましい。平均孔径が３μｍを超えると、濾過膜３１の二次側（濾過水Ｗ１中）に漏出する重金属の不溶化物の粒子の割合が増加し、濾過水Ｗ１中の金属濃度が上昇しやすくなる。
【００２７】
膜分離手段３０により、廃水Ｗ０は不溶化物が除去された濾過水Ｗ１と、不溶化物が濃縮された膜分離濃縮水Ｗ２とに分離される。
濾過水Ｗ１は、後述のｐＨ調整手段４０に移され、ｐＨ調整される。一方、膜分離濃縮水Ｗ２は、通常、脱水手段（図示略）により脱水され、脱水ケーキ等の産業廃棄物として処理される。
【００２８】
＜ｐＨ調整手段＞
ｐＨ調整手段４０は、膜分離手段３０にて膜分離した濾過水Ｗ１のｐＨを、河川等への放流に適したｐＨに調整する手段であり、ｐＨを調整された濾過水Ｗ１は処理水Ｗ３として排出される。
なお、膜分離手段３０によって不溶化物を十分に除去しているので、濾過水Ｗ１のｐＨを中和しても重金属が再溶解するおそれがない。
【００２９】
ｐＨ調整手段４０は、ｐＨ調整槽４１と、ｐＨ計（図示略）と、酸添加装置およびアルカリ添加装置（いずれも図示略）とを備える。
ｐＨ調整槽４１としては、濾過水Ｗ１を貯留できるものであれば特に制限されない。また、ｐＨ計、酸添加装置およびアルカリ添加装置についても、ｐＨ調整に用いられるものであれば特に制限されない。
【００３０】
＜作用効果＞
上述したように、重金属を含む廃水中にアンモニアが含まれていると、重金属がアンモニアとアンミン錯体を形成し、廃水に安定して溶解していることが、廃水の処理を困難にさせる原因であると考えられる。
しかし、本発明の廃水の処理装置１によれば、膜分離手段３０の上流側にアンモニア除去手段（ストリッピング手段）２０を備えているので、廃水Ｗ０はアンモニアを揮発除去された後に膜分離される。すなわち、廃水Ｗ０中のアンモニアは、膜分離の前に廃水Ｗ０から揮発除去されるので、重金属は錯体の形態を維持できなくなり、イオン化する。さらに、ストリッピング槽２１内の廃水Ｗ０はこの時点でアルカリ性であるため、重金属は難溶解性の水酸化物（不溶化物）となり、廃水Ｗ０から析出する。このように、本発明の廃水の処理装置１であれば、アンモニアによる重金属の不溶化が阻害されにくく、膜分離手段３０によって不溶化した重金属を膜分離できるので、廃水Ｗ０を高度に処理でき、処理水Ｗ３中の重金属濃度を十分に低減できる。
【００３１】
また、本発明の廃水の処理装置１であれば、凝集剤を添加することなくアンモニア除去手段（ストリッピング手段）２０により廃水Ｗ０中のアンモニアを揮発除去しつつ、重金属を十分に不溶化できる。また、改めて不溶化剤を添加して重金属を不溶化する必要もないので、薬剤費用も軽減できる。また、エネルギーを過剰に消費することもない。
【００３２】
本発明の廃水の処理装置１は、重金属およびアンモニアを含む廃水Ｗ０を処理する装置であるが、特に無電解ニッケルメッキなどの無電解メッキ工程や、酸性亜鉛メッキ工程から排出される廃水を処理するのに好適である。
【００３３】
＜他の実施形態＞
本発明の廃水の処理装置は図１に示す廃水の処理装置１に限定されない。例えば図１に示す廃水の処理装置１では、ｐＨ調整手段４０を備えているが、濾過水Ｗ１のｐＨが河川等への放流に適したｐＨであれば、ｐＨ調整手段４０を備えていなくてもよい。
【００３４】
また、図１に示す廃水の処理装置１では、全量式の膜分離手段３０を備えているが、図２に示すように、クロスフロー式の膜分離手段３０でもよい。
なお、図２に示す廃水の処理装置２では、膜分離手段３０により分離された膜分離濃縮水Ｗ２の一部を前段のアンモニア除去手段（ストリッピング手段）２０のストリッピング槽２１に返送しているが、膜分離濃縮水Ｗ２の一部は貯留手段１０の貯留槽１１に返送してもよい。
【００３５】
図１、２に示す廃水の処理装置１、２に備わる膜分離手段３０は、いずれも加圧式であるが、膜分離手段３０としては、図３に示すように、浸漬式でもよい。
図３に示す廃水の処理装置３の膜分離手段３０は、アンモニア除去手段（ストリッピング手段）２０から送られた廃水Ｗ０を溜める膜分離槽３２と、膜分離槽３２内に設けられた膜モジュール３３と、膜洗浄用の散気手段３４とを備える。膜モジュール３３には吸引ポンプＰ２が接続され、散気手段３４にはブロワーＢ２が接続されている。
【００３６】
膜モジュール３３としては、水処理等の分離操作に用いられる通常の膜モジュールが挙げられる。膜モジュール３３では、吸引ポンプＰ２により膜分離槽３２内の廃水Ｗ０を膜モジュール３３の濾過膜の細孔を介して吸引ろ過することで廃水Ｗ０を濾過水Ｗ１と膜分離濃縮水Ｗ２とに分離する。
一方、散気手段３４は膜モジュール３３の下方に設けられ、ブロワーＢ２より送気された空気を膜分離槽３２内に散気する。これにより、散気手段３４から連続的もしくは断続的に散気された気泡が、廃水Ｗ０の液中を通って膜モジュール３３に達し、その後、水面から放出される。このとき、濾過膜が洗浄される。
なお、膜分離手段３０により分離された膜分離濃縮水Ｗ２の一部を、ストリッピング槽２１や貯留槽１１に返送してもよい。
【００３７】
（酸化処理手段）
また、本発明の廃水の処理装置は、例えば図４に示すように、アンモニア除去手段（ストリッピング手段）２０と膜分離手段３０との間に、アンモニアを揮発除去した廃水Ｗ０を酸化処理する酸化処理手段５０を備えるのが好ましい。
廃水Ｗ０に他の錯体形成化合物が含まれている場合、酸化処理手段５０により廃水Ｗ０を酸化処理することで、他の錯体形成化合物が分解される。また、前段のアンモニア除去手段（ストリッピング手段）２０にてアンモニアを完全に除去しきれなかった場合には、廃水Ｗ０中に残存するアンモニアも酸化処理手段５０により分解される。その結果、廃水Ｗ０中の重金属はより不溶化しやすくなるので、後段の膜分離手段３０にて不溶化物が分離されやすくなり、処理水Ｗ３中の重金属濃度をさらに低減できる。加えて、廃水Ｗ０を酸化処理することで不溶化物が粗大化するので、膜分離手段３０の濾過膜３１が不溶化物により閉塞しにくく、膜分離手段３０を長期間にわたって安定に運転することが可能である。
【００３８】
図４に示す廃水の処理装置４の酸化処理手段５０は、アンモニア除去手段（ストリッピング手段）２０から送られた廃水Ｗ０を溜める酸化槽５１と、酸化槽５１中の廃水Ｗ０に酸化剤を添加する酸化剤添加手段５２と、酸化槽５１中の廃水Ｗ０の水質を検査する水質計５３とを備える。
【００３９】
酸化槽５１としては、廃水Ｗ０を貯留できるものであれば特に制限されないが、酸化剤によって劣化しにくい材質のものが好ましい。
酸化剤添加手段５２としては、酸化剤を添加できるものであれば特に制限されない。
水質計５３は、酸化槽５１中の廃水Ｗ０の水質を検査するものである。水質を検査することで、酸化剤の添加量の過不足を把握でき、特に、酸化剤の過剰添加を抑制するのに有効である。
水質計５３としては、酸化還元電位計、酸化剤濃度計などが挙げられる。また、これらの電位計や濃度計に代えて、あるいはこれらと併用して、アンモニアや他の錯体形成化合物の濃度を測定するための濃度計を用いることも可能である。ただし、他の錯体形成化合物の濃度を測定するための濃度計は、濃度測定が可能な他の錯体形成化合物を含む廃水Ｗ０を処理する場合に用いる。
なお、この例の酸化処理手段５０は１つの水質計５３を備えているが、水質の検査方法に応じて複数種類の水質計を備えていてもよい。
【００４０】
また、図４に示す廃水の処理装置４は、膜分離手段３０として図１に示す廃水の処理装置１と同じものを備えているが、図２、３に示す廃水の処理装置２、３の膜分離手段３０と同じものでもよい。
また、酸化処理手段５０において、酸化剤添加手段５２から塩素系の酸化剤を添加する場合には、塩素ガスまたはアンモニア酸化によるクロラミンなど、臭気成分が発生する場合がある。従って、発生濃度に応じてガス回収手段を適宜設置するのが望ましい。
【００４１】
（沈殿分離手段）
また、本発明の廃水の処理装置は、例えば図５に示すように、アンモニア除去手段（ストリッピング手段）２０と膜分離手段３０との間に、アンモニアを揮発除去した廃水Ｗ０中の重金属を沈殿分離する沈殿分離手段６０を備えるのが好ましい。
図５に示す廃水の処理装置５の沈殿分離手段６０は、アンモニア除去手段（ストリッピング手段）２０から送られた廃水Ｗ０を溜める沈殿槽６１を備える。
沈殿槽６１の構造については特に制限されず、沈殿槽６１内部に傾斜板を設置して有効表面積を増やしてもよい。
また、沈殿槽６１の容積については、処理対象液の固形分濃度や処理対象粒子（重金属の不溶化物）の大きさによって、適宜設定すればよい。
【００４２】
沈殿分離手段６０により、廃水Ｗ０は上澄み液Ｗ４と沈殿濃縮水Ｗ５とに分離される。
上澄み液Ｗ４は、後段の膜分離手段３０に移され、濾過水Ｗ１と膜分離濃縮水Ｗ２とにさらに膜分離される。上澄み液Ｗ４には沈殿分離手段６０によって完全に沈殿除去されなかった微細な重金属の不溶化物が存在するが、膜分離手段３０によって微細な不溶化物は除去される。
一方、沈殿濃縮水Ｗ５は、通常、脱水手段（図示略）により脱水され、脱水ケーキ等の産業廃棄物として処理される。
【００４３】
図５に示す廃水の処理装置５のように、アンモニア除去手段（ストリッピング手段）２０と膜分離手段３０との間に沈殿分離手段６０を備えれば、膜分離手段３０にて膜分離する前に、アンモニア除去手段（ストリッピング手段）２０において不溶化した廃水Ｗ０中の重金属の大部分を廃水Ｗ０から除去できる。従って、膜分離手段３０にて除去する粒子量が削減されるので、膜分離手段３０の負担が軽減され、より安定した濾過運転を継続できる。
なお、図５に示す廃水の処理装置５は、膜分離手段３０として図１に示す処理装置１と同じものを備えているが、図２、３に示す廃水の処理装置２、３の膜分離手段３０と同じものでもよい。
【００４４】
また、本発明の廃水の処理装置は、アンモニア除去手段と膜分離手段との間に、酸化処理手段と沈殿分離手段の両方を並列して備えていてもよい。酸化処理手段と沈殿分離手段の両方を備える場合、これらの設置順序は特に制限されず、酸化処理手段の下流に酸化処理後の廃水中の重金属を沈殿分離する沈殿分離手段が設置されてもよいし、酸化処理手段の上流にアンモニアを揮発除去した酸化処理前の廃水中の重金属を沈殿分離する沈殿分離手段が設置されていてもよい。
ところで、アンモニア除去手段において生成する重金属の不溶化物の粒子は微細となる傾向にあり、沈殿分離手段を備える場合、沈殿速度が遅くなることがある。沈殿速度が遅い場合には、沈殿槽を大型化するなどの対処が必要となることがある。
しかし、アンモニア除去手段の下流に、酸化処理手段、沈殿分離手段と、膜分離手段とを順に備えれば、酸化処理手段によって粗大化した重金属の不溶化物を沈殿分離手段にて沈殿分離できる。よって、沈殿速度を高めることができ、沈殿分離手段において短時間で重金属を沈殿させることができる。また、沈殿槽を大型化する必要もない。
【００４５】
また、図１〜５に示す廃水の処理装置１〜５は、アンモニア除去手段（ストリッピング手段）２０と膜分離手段とが独立しているが、例えば図６に示すように、膜分離手段３０の膜分離槽３２をストリッピング槽としても用いてもよい。
すなわち、図６に示す廃水の処理装置６では、アンモニア除去手段（ストリッピング手段）２０のアルカリ剤添加手段２２と、水質計２３と、散気手段２４とが、膜分離手段３０の膜分離槽３２に設けられている。また、図６に示す廃水の処理装置６の膜分離槽３２は、酸化処理手段５０の酸化槽も兼ねており、酸化処理手段５０の酸化剤添加手段５２と、水質計５３も膜分離槽３２に設けられている。さらに、膜分離槽３２は、沈殿分離手段の沈殿槽を兼ねていてもよい。
なお、この例の膜分離手段３０は、膜分離槽３２の他に、図３に示す膜分離手段３０と同様の膜モジュール３３と、散気手段３４とを備える。
【００４６】
図６に示す廃水の処理装置６の場合、膜分離槽３２がストリッピング槽、酸化槽、および必要に応じて沈殿槽の役割も兼ねているため、装置構成が簡易となる。
また、例えば図７に示す廃水の処理装置７のように、膜分離手段３０の散気手段３４を、アンモニア除去手段（ストリッピング手段）２０の散気手段としても用いてもよく、装置構成がさらに簡易となる。
【００４７】
以上説明した図１〜７に示す廃水の処理装置１〜７のアンモニア除去手段２０は、ストリップング処理によりアンモニアを揮発除去する手段（ストリッピング手段）であるが、アンモニア除去手段としては、例えば熱処理によりアンモニアを揮発除去する手段（熱処理手段）であってもよい。熱処理は、通常、室温（２３℃）以上で行われるため、アンモニア除去手段２０として熱処理手段を用いる場合には、ストリッピング手段２０に備わる散気手段２４の代わりに、廃水を加温する加温手段、あるいは廃水を加熱する加熱手段を備えることが好ましい。
【００４８】
このように、本発明の廃水の処理装置であれば、廃水に凝集剤を添加して不溶化物を凝集させる凝集手段を備えなくても廃水を低コストで、かつ高度に処理でき、重金属濃度を十分に低減できるが、必要であれば凝集手段を備えてもよい。ただし、凝集手段にて廃水に添加する凝集剤の添加量が少ないほど、薬剤費用を削減できるとともに、発生するスラッジ量を軽減できるので、スラッジの処分費用をも削減できる。また、膜濾過手段の膜が閉塞するのを抑制できる。従って、凝集手段を備えなくても目標の処理水質を達成できる場合には、凝集手段は備えない方が好ましい。
なお、凝集手段を備える場合、その設置場所はアンモニア除去手段と膜分離手段との間であり、酸化処理手段を備える場合には酸化処理手段と膜分離手段の間であり、沈殿分離手段を備える場合にはアンモニア除去手段と沈殿分離手段との間であり、酸化処理手段の下流に沈殿分離手段を備える場合には酸化処理手段と沈殿分離手段との間である。
【００４９】
また、本発明の廃水の処理装置であれば、廃水に不溶化剤を添加して重金属を不溶化させる不溶化手段を備えなくても、アンモニア除去手段にてアルカリ剤を添加することで廃水がアルカリ性となるため、廃水中の重金属が不溶化し、廃水を高度に処理できるが、必要であれば不溶化手段を備えてもよい。ただし、不溶化手段にて廃水に添加する不溶化剤の添加量が少ないほど、薬剤費用を削減できる。従って、不溶化手段を備えなくても目標の処理水質を達成できる場合には、不溶化手段を備えない方が好ましい。
なお、不溶化手段を備える場合、その設置場所はアンモニア除去手段と膜分離手段との間であり、酸化処理手段を備える場合には酸化処理手段と膜分離手段の間であり、沈殿分離手段を備える場合にはアンモニア除去手段と沈殿分離手段との間であり、酸化処理手段の下流に沈殿分離手段を備える場合には酸化処理手段と沈殿分離手段との間である。
【００５０】
［廃水の処理方法］
本発明の廃水の処理方法は、廃水にアルカリ剤を添加し、アンモニアをストリッピング処理や熱処理などの方法により揮発除去するアンモニア除去工程と、アンモニアを揮発除去した廃水を膜分離する膜分離工程とを有する。
以下、図１に示す廃水の処理装置１を用いて、本発明の廃水の処理方法の一例について具体的に説明する。
なお、本発明において、ストリッピング処理によりアンモニアを揮発除去する場合のアンモニア除去工程を「ストリッピング工程」という場合もある。
【００５１】
＜アンモニア除去工程（ストリッピング工程）＞
まず、廃水Ｗ０を貯留手段１０の貯留槽１１に一旦貯留する。
ついで、貯留槽１１に貯留された廃水Ｗ０をアンモニア除去手段（ストリッピング手段）２０のストリッピング槽２１に移し、アルカリ剤添加手段２２からアルカリ剤を添加して、廃水Ｗ０中のアンモニアをストリップング処理により揮発除去する。
アンモニア除去工程（ストリッピング工程）で用いるアルカリ剤としては、水酸化ナトリウム、炭酸ナトリウム、水酸化カルシウム、水酸化マグネシウムなどが用いられる。これらの中でも、スラッジ発生量を削減できる点で、水酸化ナトリウムが好ましい。
【００５２】
アルカリ剤の添加量は、廃水Ｗ０のアンモニア濃度および除去対象となる重金属の種類によって適宜設定すればよいが、アンモニアは塩基性であるため、ｐＨが高くなるとアンモニア揮発除去効率も高くなる傾向にある。従って、廃水Ｗ０のｐＨが１０〜１１となるように、アルカリ剤の添加量を調整するのが好ましい。
アルカリ剤は、水質計２３を用いて、アンモニウムイオン濃度、アルカリ剤濃度、廃水Ｗ０のｐＨなどをモニタリングしながら添加すればよい。
【００５３】
また、ストリッピング処理する際は、ブロワーＢ１より送気された空気を散気手段２４によりストリッピング槽２１内に散気させ、廃水Ｗ０を曝気し、アンモニアガス（ＮＨ３）を大気中へ放出させる。
散気量については、一般的には、単位廃水体積あたりの散気量（曝気体積）が３，０００（ｍ３−空気）／（ｍ３−廃水）以上となる量が必要とされているが、アンモニア濃度、目標処理水質、散気手段２４の性能によって異なるため、適切な量を設定すればよい。
【００５４】
また、アンモニアは揮発性なので、ストリッピング処理によるアンモニア除去効率は水温の影響を受けやすく、水温が高いほどアンモニア除去効率が高くなる傾向にある。そのため、ストリッピング槽中の廃水Ｗ０の温度は高い方が好ましい。
【００５５】
アンモニア除去工程（ストリッピング工程）により、廃水Ｗ０中のアンモニアは揮発除去される。その結果、重金属はアンモニアとの錯体の形態を維持できなくなり、イオン化する。さらに、ストリッピング槽２１内の廃水Ｗ０は、この時点でアルカリ剤の添加によりアルカリ性であるため、重金属は難溶解性の水酸化物（不溶化物）となり、廃水Ｗ０から析出する。
【００５６】
＜膜分離工程＞
膜分離工程では、アンモニア除去工程（ストリッピング工程）にてアンモニアを揮発除去した廃水Ｗ０を膜分離手段３０に移し、濾過膜３１により不溶化物が除去された濾過水Ｗ１と、不溶化物が濃縮された膜分離濃縮水Ｗ２とに膜分離する。
濾過水Ｗ１は、必要に応じて後述のｐＨ調整工程によりｐＨ調整される。一方、膜分離濃縮水Ｗ２は、通常、脱水され、脱水ケーキ等の産業廃棄物として処理される。
【００５７】
＜ｐＨ調整工程＞
ｐＨ調整工程では、濾過水Ｗ１をｐＨ調整手段４０のｐＨ調整槽４１に移し、濾過水Ｗ１のｐＨを河川等への放流に適したｐＨに調整する。アンモニア除去工程（ストリッピング工程）においてアルカリ剤を添加しているので、濾過水Ｗ１もアルカリ性となっている場合が多く、中和するのがよい。ｐＨを調整された濾過水Ｗ１は処理水Ｗ３として排出される。
ｐＨ調整工程では、中和用のｐＨ調整剤として、塩酸、硫酸、炭酸ガス等の酸などが用いられる。ｐＨ調整工程において酸を過剰に添加した場合には、ｐＨ調整剤として水酸化ナトリウム、炭酸ナトリウム、水酸化カルシウム、水酸化マグネシウム等のアルカリを添加して、中性領域になるようにｐＨを再調整する。
なお、膜分離工程によって不溶化物を十分に除去しているので、濾過水Ｗ１のｐＨを中和しても重金属が再溶解するおそれがない。
【００５８】
＜作用効果＞
上述したように、重金属を含む廃水中にアンモニアが含まれていると、重金属がアンモニアとアンミン錯体を形成し、廃水に安定して溶解していることが、廃水の処理を困難にさせる原因であると考えられる。
しかし、本発明の廃水の処理方法によれば、膜分離工程の前にアンモニア除去工程（ストリッピング工程）を行うので、廃水Ｗ０はアンモニアを揮発除去された後に膜分離される。すなわち、廃水Ｗ０中のアンモニアは、膜分離の前に廃水Ｗ０から揮発除去されるので、重金属は錯体の形態を維持できなくなり、イオン化する。さらに、アンモニアが揮発除去された廃水Ｗ０はこの時点でアルカリ性であるため、重金属は難溶解性の水酸化物（不溶化物）となり、廃水Ｗ０から析出する。このように、本発明の廃水の処理方法であれば、アンモニアによる重金属の不溶化が阻害されにくく、膜分離工程によって不溶化した重金属を膜分離できるので、廃水Ｗ０を高度に処理でき、処理水Ｗ３中の重金属濃度を十分に低減できる。
【００５９】
また、本発明の廃水の処理方法であれば、凝集剤を添加することなくアンモニア除去工程（ストリッピング工程）により廃水Ｗ０中のアンモニアを揮発除去しつつ、重金属を十分に不溶化できる。また、改めて不溶化剤を添加して重金属を不溶化する必要もないので、薬剤費用も軽減できる。また、エネルギーを過剰に消費することもない。
【００６０】
本発明の廃水の処理方法は、重金属およびアンモニアを含む廃水Ｗ０を処理する方法であるが、特に無電解ニッケルメッキなどの無電解メッキ工程や、酸性亜鉛メッキ工程から排出される廃水を処理するのに好適である。
【００６１】
＜他の実施形態＞
本発明の廃水の処理方法は、上述した方法に限定されない。例えば上述した方法では、膜分離工程の後にｐＨ調整工程を行うが、濾過水Ｗ１のｐＨが河川等への放流に適したｐＨであれば、ｐＨ調整工程は行わなくてもよい。
【００６２】
また、上述した方法では、膜分離工程での膜分離方法として図１に示すような全量式の膜分離手段３０を用いた方法を例示したが、例えば図２に示すようなクロスフロー式の膜分離手段３０や、図３に示すような浸漬式の膜分離手段３０を用いてもよい。
図１に示す全量式の膜分離手段３０や、図２に示すクロスフロー式の膜分離手段３０は加圧式を採用しており、濾過膜３１を容器に封入した状態で膜の一次側を高い圧力で加圧できる。そのため、高い透過流束で膜分離でき、必要膜面積を低減できる。ただし、処理対象液の不溶化物濃度（濁質濃度）が高い場合には濾過膜３１が閉塞しやすい傾向にあるため、処理対象液の不溶化物濃度が低い場合に実施するのが好ましい。
一方、図３に示す浸漬式の膜分離手段３０は、膜モジュール３３を処理対象液中に浸漬し、膜の二次側を負圧にすることによって濾過を行う。そのため、加圧式と比較して透過流束が低くなるが、不溶化物濃度が高くても、濾過膜が閉塞することなく膜分離できる。
【００６３】
（酸化処理工程）
また、本発明の廃水の処理方法は、例えば図４に示す処理装置４を用い、アンモニア除去工程（ストリッピング工程）と膜分離工程との間に、アンモニアを揮発除去した廃水を酸化処理する酸化処理工程を有することが好ましい。酸化処理工程では、アンモニアを揮発除去した廃水Ｗ０を酸化処理手段５０の酸化槽５１に移し、酸化剤添加手段５２から酸化剤を添加して廃水Ｗ０を酸化処理する。
廃水Ｗ０に他の錯体形成化合物が含まれている場合、酸化処理工程により廃水Ｗ０を酸化処理することで、他の錯体形成化合物が分解される。また、前段のアンモニア除去工程（ストリッピング工程）にてアンモニアを完全に除去しきれなかった場合には、廃水Ｗ０中に残存するアンモニアも酸化処理工程により分解される。その結果、廃水Ｗ０中の重金属はより不溶化しやすくなるので、後段の膜分離工程にて不溶化物が分離されやすくなり、処理水Ｗ３中の重金属濃度をさらに低減できる。加えて、廃水Ｗ０を酸化処理することで重金属の不溶化物が粗大化するので、膜分離工程において濾過膜３１が不溶化物により閉塞しにくく、膜分離工程を長期間にわたって安定に行うことが可能である。
【００６４】
酸化処理工程で用いる酸化剤としては、次亜塩素酸、亜塩素酸、過塩素酸もしくはこれらの塩、過酸化水素などが挙げられる。これらの中でも、次亜塩素酸、亜塩素酸、過塩素酸もしくはこれらの塩、またはこれらの混合溶液が好ましく、取り扱い性、入手容易性の観点から次亜塩素酸ナトリウム溶液が特に好ましい。
次亜塩素酸、亜塩素酸、過塩素酸もしくはこれらの塩、またはこれらの混合溶液を酸化剤として用いれば、酸化反応が速やかに進行しやすくなり、全体の処理速度を速めることができる。また、これらは、ＥＤＴＡ、酒石酸などのキレート作用を有する他の錯体形成化合物の分解効率が高いことから、他の錯体形成化合物による不溶化物の凝集阻害を防ぐことができ、重金属の不溶化をより効率的に行うことができるとともに、不溶化物をより粗大化できる。
【００６５】
また、特に次亜塩素酸ナトリウムまたはその溶液を酸化剤として用いると、重金属の不溶化物の粒子径が大きくなる傾向にある。不溶化物の粒子径が大きい方が、膜分離工程において濾過膜の細孔が閉塞されるのを抑制でき、膜の流束を高く維持できる。
さらに、廃水Ｗ０が無電解ニッケルメッキ廃水など、重金属としてニッケルを含む廃水の場合、次亜塩素酸ナトリウムなどの酸化剤の添加によって、溶解しているニッケルイオンがオキシ水酸化ニッケル（ＮｉＯ(ＯＨ)）に酸化される。オキシ水酸化ニッケルは、一般的に水酸化ニッケル（Ｎｉ(ＯＨ)２）と比較して溶解度が低くなるため、高度な排水処理を行う場合には、次亜塩素酸ナトリウムまたはその溶液が酸化剤として特に好ましい。
【００６６】
なお、廃水Ｗ０への酸化剤の添加は、廃水Ｗ０中に含まれる他の錯体形成化合物や、アンモニア除去工程（ストリッピング工程）において除去しきれなかったアンモニアを酸化処理することが目的であり、過剰に酸化剤を添加することは、薬品の過剰消費となる。また、酸化剤を過剰に添加すると、残存した酸化剤により膜分離工程で用いる濾過膜を酸化させるおそれがある。加えて、酸化剤を過剰に添加すると、最終的に発生するスラッジ量が増加する傾向にある。
以上のことより、酸化処理工程では廃水Ｗ０中に含まれる他の錯体形成化合物やアンモニアを全て酸化した時点で、廃水Ｗ０中への酸化剤の添加を停止することが望ましく、過剰添加を制御するのがよい。
酸化剤の添加終了点を検知する方法としては、水質計５３を用いた酸化還元電位のモニタリング、酸化剤濃度のモニタリング、他の錯体形成化合物やアンモニアの濃度のモニタリング、といった方法が挙げられる。
【００６７】
酸化還元電位のモニタリング；
廃水Ｗ０中に他の錯体形成化合物やアンモニアが残存している状態であれば、添加した酸化剤は他の錯体形成化合物やアンモニアとの酸化還元反応により消費される。酸化剤が他の錯体形成化合物やアンモニアの酸化により消費されている間は廃水Ｗ０の酸化還元電位は低く、酸化分解可能な他の錯体形成化合物やアンモニアが全て酸化されて酸化剤が残存すると廃水Ｗ０の酸化還元電位は高くなる。
よって、水質計（酸化還元電位計）５３により酸化槽５１中の廃水Ｗ０の酸化還元電位をモニタリングすれば、酸化還元電位が上昇した時点で、廃水Ｗ０中の酸化分解可能な他の錯体形成化合物やアンモニアは全て酸化されたものと容易に判断でき、この時点で酸化剤の添加を停止すればよい。
【００６８】
酸化剤濃度のモニタリング；
廃水Ｗ０中に他の錯体形成化合物やアンモニアが残存している状態であれば、添加した酸化剤は消費される。すなわち、酸化剤を連続的に添加している過程において、酸化処理すべき他の錯体形成化合物やアンモニアが残存している間は、酸化剤濃度は低濃度かつ、ほぼ一定で推移する。
よって、水質計（酸化剤濃度計）５３により酸化槽５１中の酸化剤の濃度をモニタリングすれば、酸化剤濃度が上昇した時点で、廃水Ｗ０中の酸化分解可能な他の錯体形成化合物やアンモニアは全て酸化されたものと容易に判断でき、この時点で酸化剤の添加を停止すればよい。
なお、酸化剤として次亜塩素酸、亜塩素酸、過塩素酸もしくはこれらの塩等を用いる場合、酸化剤濃度は、残留塩素濃度を測定することでも求められる。
【００６９】
他の錯体形成化合物やアンモニアの濃度のモニタリング；
廃水Ｗ０中の他の錯体形成化合物やアンモニアを連続的にモニタリングし、これらの濃度が十分に低下した時点で酸化剤の添加を停止すればよい。なお、他の錯体形成化合物の濃度をモニタリングする方法は、他の錯体形成化合物が水質計でモニタリング可能な物質である場合に適用できる。
【００７０】
上述した酸化剤の添加終了点の検知方法の中でも、水質計５３として用いる酸化還元電位計は、その使用が簡便である点で、酸化還元電位のモニタリングが好ましい。また、酸化還元電位のモニタリングは連続式（連続測定）に対応できるのに対し、酸化剤濃度、および他の錯体形成化合物やアンモニアの濃度のモニタリングはバッチ式（一定間隔でサンプルを採取して測定）に対応しているため、酸化還元電位のモニタリングの方が、他の方法よりも酸化剤の添加終了点をより瞬時に検知できる。
【００７１】
酸化還元電位のモニタリングにより酸化剤の添加終了点を検知する場合は、以下のようにするのが好ましい。
すなわち、酸化剤濃度が上昇する（酸化剤の添加が過剰となる）タイミングにおける酸化還元電位を予め測定しておくのが好ましい。これにより、事前に測定した酸化還元電位の値を判断基準とできるので、より容易に酸化剤の添加停止のタイミングを見極めることができる。
【００７２】
ただし、酸化還元電位のモニタリングや酸化剤濃度のモニタリングでは、酸化剤の添加量が不足しているかどうかを判断するのは困難である。このような場合は、廃水Ｗ０中の他の錯体形成化合物やアンモニアの濃度などから、全ての他の錯体形成化合物やアンモニアを酸化処理するのに必要な酸化剤量を予測し、その予測量よりも多い量の酸化剤を添加する。そして、酸化還元電位のモニタリングや酸化剤濃度のモニタリングにより、酸化剤が過剰と判断されれば酸化剤の添加を停止したり、添加量を減らしたりすればよい。
【００７３】
なお、上述した方法では、酸化処理工程での酸化処理方法として酸化剤添加法を例示したが、例えばオゾン酸化法、光触媒法、生物酸化法などでもよい。ただし、制御の簡便性や反応速度の観点から、酸化処理方法としては酸化剤添加法が好ましい。
また、酸化処理方法として、塩素系の酸化剤を用いた酸化剤添加法を採用する場合には、塩素ガスまたはアンモニア酸化によるクロラミンなど、臭気成分が発生するため、発生濃度に応じてガス回収を行うのが望ましい。
【００７４】
（沈殿分離工程）
さらに、本発明の廃水の処理方法は、例えば図５に示す廃水の処理装置５を用い、アンモニア除去工程（ストリッピング工程）と膜分離工程との間に、アンモニアを揮発除去した廃水Ｗ０中の重金属を沈殿分離する沈殿分離工程を有することが好ましい。
沈殿分離工程では、アンモニアを揮発除去した廃水Ｗ０を沈殿分離手段６０の沈殿槽６１に移し、重金属の不溶化物を沈殿させ、上澄み液Ｗ４と沈殿濃縮水Ｗ５とに分離する。
上澄み液Ｗ４は、膜分離工程に移され、濾過水Ｗ１と膜分離濃縮水Ｗ２とにさらに膜分離される。上澄み液Ｗ４には沈殿分離工程によって完全に沈殿除去されなかった微細な重金属の不溶化物が存在するが、膜分離工程によって微細な不溶化物は除去される。
一方、沈殿濃縮水Ｗ５は、通常、脱水され、脱水ケーキ等の産業廃棄物として処理される。
【００７５】
アンモニア除去工程（ストリッピング工程）と膜分離工程との間に、沈殿分離工程を行えば、膜分離工程にて膜分離する前に、アンモニア除去工程（ストリッピング工程）において不溶化した廃水中の重金属の大部分を廃水から除去できる。従って、膜分離工程にて除去する粒子量が削減されるので、濾過膜の負担が軽減され、より安定した濾過運転を継続できる。
【００７６】
また、本発明の廃水の処理方法は、アンモニア除去工程（ストリッピング工程）と膜分離工程との間に、酸化処理工程と沈殿分離工程の両方を有していてもよい。酸化処理工程と沈殿分離工程の両方を有する場合、これらの実施順序は特に制限されず、酸化処理工程の後で酸化処理した廃水中の重金属を沈殿分離する沈殿分離工程を行ってもよいし、沈殿分離工程の後で重金属を沈殿分離した廃水を酸化処理する酸化処理工程を行ってもよい。
ところで、アンモニア除去工程（ストリッピング工程）において生成する重金属の不溶化物の粒子は微細となる傾向にあり、沈殿分離工程を行う場合、沈殿速度が遅くなることがある。沈殿速度が遅い場合には、沈殿槽を大型化するなどの対処が必要となることがある。
しかし、アンモニア除去工程（ストリッピング工程）と膜分離工程との間に、酸化処理工程と、酸化処理した廃水中の重金属を沈殿分離する沈殿分離工程とを行えば、酸化処理工程によって粗大化した重金属の不溶化物を沈殿分離工程にて沈殿分離できる。よって、沈殿速度を高めることができ、沈殿分離工程において短時間で重金属を沈殿させることができるので、沈殿槽を大型化する必要がない。
【００７７】
以上説明した廃水の処理方法では、図１〜５に示すように、廃水Ｗ０を各手段に連続的に流して各工程を行っているが、例えば図６に示す廃水の処理装置６を用い、以下のようにして各工程を行ってもよい。
すなわち、貯留槽１１から廃水Ｗ０を膜分離槽３２に移した後、廃水Ｗ０の供給を止めてから、膜分離槽３２中の廃水Ｗ０にアルカリ剤添加手段２２からアルカリ剤を添加し、散気手段２４を用いて廃水Ｗ０を曝気しながら、廃水Ｗ０中のアンモニアを揮発除去する（アンモニア除去工程（ストリッピング工程））。
水質計２３にて廃水Ｗ０中のアンモニア濃度や廃水Ｗ０のｐＨなどをモニタリングし、アンモニアが廃水Ｗ０から十分に除去されたのを確認した後、酸化剤添加手段５２から酸化剤を添加し、廃水Ｗ０を酸化処理する（酸化処理工程）。
ついで、水質計５３にて酸化剤の添加終了点を検知した後、吸引ポンプＰ２を稼働させて膜分離槽３２内の廃水Ｗ０を膜モジュール３３の濾過膜の細孔を介して吸引ろ過することで廃水Ｗ０を濾過水Ｗ１と膜分離濃縮水Ｗ２とに分離する（膜分離工程）。このとき、ブロワーＢ２より送気された空気を散気手段３４から膜分離槽３２内に散気させて、濾過膜を洗浄する。
ついで、濾過水Ｗ１をｐＨ調整手段４０のｐＨ調整槽４１に移し、濾過水Ｗ１のｐＨを河川等への放流に適したｐＨに調整し、処理水Ｗ３として排出する（ｐＨ調整工程）。
一連の工程が終了した後、再び貯留槽１１から廃水Ｗ０を膜分離槽３２に移して、同様の工程を繰り返す。
【００７８】
なお、膜分離手段３０により分離された膜分離濃縮水Ｗ２の一部を、膜分離槽３２や貯留槽１１に返送してもよい。
また、酸化処理工程では、散気手段２４を用いて廃水Ｗ０を曝気しながら酸化剤を添加して酸化処理を行ってもよい。廃水Ｗ０を曝気しながら酸化処理すれば、酸化剤が均一に廃水Ｗ０に拡散しやすくなり、より効率よく酸化処理できる。
【００７９】
さらに、アンモニア除去工程（ストリッピング工程）後、かつ酸化処理工程前に、散気手段２４からの散気を停止して廃水Ｗ０の曝気をやめ、アンモニア除去工程（ストリッピング工程）にて生成した重金属の不溶化物を膜分離槽３２に沈殿させてもよいし、酸化処理工程後、かつ膜分離工程前に、散気手段２４からの散気を停止して廃水Ｗ０の曝気をやめ、酸化処理した廃水中の重金属の不溶化物を膜分離槽３２で沈殿させてもよい（沈殿分離工程）。特に、酸化処理工程後に沈殿分離工程を行うのが好ましい。
なお、沈殿分離工程を行った場合は、膜分離工程において散気手段３４からの散気を停止して膜分離するのが好ましい。この場合、膜分離工程により膜分離槽３２内の全ての廃水Ｗ０を濾過水Ｗ１と膜分離濃縮水Ｗ２とに分離した後で、膜分離槽３２に沈殿した不溶化物を除去し、さらに膜分離槽３２に水などの洗浄液を投入し、ブロワーＢ２を稼働させて濾過膜を洗浄すればよい。
【００８０】
また、例えば図７に示す廃水の処理装置７を用い、膜分離手段３０の散気手段３４を、アンモニア除去工程（ストリッピング工程）において用いてもよい。
【００８１】
以上説明した廃水の処理方法のアンモニア除去工程は、ストリッピング処理によりアンモニアを揮発除去する工程（ストリッピング工程）であるが、アンモニア除去工程としては、例えば熱処理によりアンモニアを揮発除去する工程（熱処理工程）であってもよい。
熱処理工程における熱処理温度は、概ね外気温（室温）以上に加温するものであって、その温度は２５〜５０℃がより好ましい。熱処理工程では、アルカリ剤を廃水に添加して遊離アンモニアを生成させた後、廃水を所定の熱処理温度に加温あるいは加熱する。
【００８２】
このように、本発明の廃水の処理方法であれば、廃水に凝集剤を添加しなくても廃水を高度に処理でき、重金属濃度を十分に低減できるが、必要であれば凝集剤を添加してもよい。ただし、凝集剤の添加量が少ないほど、薬剤費用を削減できるとともに、発生するスラッジ量を軽減できるので、スラッジの処分費用をも削減できる。また、膜濾過手段の膜が閉塞するのを抑制できる。従って、凝集剤を添加しなくても目標の処理水質を達成できる場合には、凝集剤は添加しない方が好ましい。
凝集剤としては、ポリ塩化アルミニウム（ＰＡＣ）、硫酸アルミニウム等の無機凝集剤や、ポリアクリルアミド系凝集剤等の高分子凝集剤などが挙げられる。
なお、凝集剤を添加する場合、凝集剤の添加のタイミングはアンモニア除去工程と膜分離工程との間であり、酸化処理工程を行う場合には酸化処理工程と膜分離工程の間であり、沈殿分離工程を行う場合にはアンモニア除去工程と沈殿分離工程との間であり、酸化処理工程の後に沈殿分離工程を行う場合には酸化処理工程と沈殿分離工程との間である。
【００８３】
また、本発明の廃水の処理方法であれば、廃水に不溶化剤を添加しなくても、アンモニア除去工程にてアルカリ剤を添加することで廃水がアルカリ性となるため、廃水中の重金属が不溶化し、廃水を高度に処理できるが、必要であれば不溶化剤を添加して、不溶化処理を行ってもよい。ただし、不溶化剤の添加量が少ないほど、薬剤費用を削減できる。従って、不溶化手段を備えなくても目標の処理水質を達成できる場合には、不溶化剤は添加しない方が好ましい。
不溶化処理の方法としては、水酸化剤（アルカリ剤）を用いた水酸化物法と、硫化剤を用いた硫化物法がある。なお、硫化物法の場合は硫化水素発生のおそれがあるため、不溶化処理としては水酸化物法が好ましい。
【００８４】
水酸化物法は、水酸化剤（水酸化物イオン）と対象金属とを反応させ、溶解度の低い金属水酸化物として析出させる方法である。
水酸化剤としては、アンモニア除去工程の説明において例示したアルカリ剤が挙げられる。
【００８５】
一方、硫化物法は、硫化剤（硫化物イオン）と対象金属を反応させ、溶解度の低い金属硫化物として析出させる方法である。
硫化剤としては、硫化ナトリウム、硫化水素などが用いられる。
【００８６】
なお、水酸化物法によって不溶化処理を行う場合、重金属は各金属種によって溶解度が最も低くなるｐＨ領域が異なる。そのため、本発明においても除去対象となる重金属の種類によって、廃水のｐＨを適宜調整すればよい。
ただし、アンモニア除去工程における廃水のｐＨは１０〜１１が好ましいため、不溶化に適したｐＨがこの範囲から外れている場合には、一旦、アンモニア除去工程において廃水のｐＨを１０〜１１に調整してアンモニアを除去した後で、不溶化に適したｐＨに調整し直し、改めて重金属の不溶化を促進することが望ましい。
【００８７】
なお、不溶化剤を添加する場合、凝集剤の添加のタイミングはアンモニア除去工程と膜分離工程との間であり、酸化処理工程を行う場合には酸化処理工程と膜分離工程の間であり、沈殿分離工程を行う場合にはアンモニア除去工程と沈殿分離工程との間であり、酸化処理工程の後に沈殿分離工程を行う場合には酸化処理工程と沈殿分離工程との間である。
【実施例】
【００８８】
以下、本発明を実施例により具体的に説明するが、本発明はこれらに限定されるものではない。
【００８９】
［実施例１］
廃水として、無電解ニッケルメッキ工程より排出されたニッケル含有廃水を用いた。廃水中のニッケル濃度は１９００ｍｇ／Ｌ、アンモニア濃度は、アンモニア態窒素（ＮＨ３−Ｎ）濃度として８８０ｍｇ／Ｌであった。また、廃水のｐＨは４．６であった。
上記ニッケル含有廃水５００ｍＬに、アルカリ剤として１０ｍｏｌ／Ｌの水酸化ナトリウム（ＮａＯＨ）溶液を添加して、廃水のｐＨを１０に調整した。
この廃水を５分間攪拌した後、２５℃で曝気を５時間行い、アンモニアストリッピング処理を行い、アンモニアを揮発除去するとともに、ニッケルの不溶化物を生成した（アンモニア除去工程（ストリッピング工程））。
ついで、アンモニアを揮発除去した廃水を、ポリフッ化ビニリデン製の中空糸膜（三菱レイヨン株式会社製、「ステラポアーＳＡＤＦ」、公称孔径０．４μｍ）を用いて、濾過水と膜分離濃縮水に膜分離し（膜分離工程）、廃水の処理を行った。
得られた濾過水中のニッケル（Ｎｉ）およびアンモニア態窒素（ＮＨ３−Ｎ）の濃度を測定した。結果を表１に示す。
なお、実施例１および後述の実施例２は、参考例である。
【００９０】
［実施例２］
曝気をせず、２５℃で５時間放置した以外は、実施例１と同様にして廃水の処理を行い、濾過水中のニッケルおよびアンモニア態窒素の濃度を測定した。これらの結果を表１に示す。
【００９１】
［比較例１］
水酸化ナトリウムを添加しなかった以外は、実施例１と同様にして廃水の処理を行い、濾過水中のニッケルおよびアンモニア態窒素の濃度を測定した。これらの結果を表１に示す。
【００９２】
【表１】
0005866823.tif 000002
【００９３】
表１から明らかなように、実施例１、２の場合、濾過水中のニッケルおよびアンモニア態窒素の濃度はいずれも低い値であり、ニッケルを十分に除去することができた。特に、ストリッピング処理によりアンモニアを揮発除去した実施例１では、熱処理によりアンモニアを揮発除去した実施例２に比べて、濾過水中のニッケル濃度が著しく低下し、より効果的にニッケルを除去することができた。
一方、水酸化ナトリウムを添加せずに曝気した比較例１の場合、濾過水中のニッケル濃度が実施例１、２に比べて高く、ニッケルを十分に除去できなかった。また、濾過水中のアンモニア態窒素の濃度が高いことから、アンモニアが十分に除去されていないことが示された。
【００９４】
［実施例３］
廃水として、無電解ニッケルメッキ工程より排出されたニッケル含有廃水を用いた。廃水中のニッケル濃度は１７２０ｍｇ／Ｌ、アンモニア濃度は、アンモニア態窒素（ＮＨ３−Ｎ）濃度として８８０ｍｇ／Ｌであった。また、廃水のｐＨは４．６であった。
上記ニッケル含有廃水１０００ｍＬに、アルカリ剤として１０ｍｏｌ／Ｌの水酸化ナトリウム（ＮａＯＨ）溶液を添加して、廃水のｐＨを１１に調整した。
この廃水を５分間攪拌した後、２５℃で曝気を２時間行い、アンモニアストリッピング処理を行い、アンモニアを揮発除去するとともに、ニッケルの不溶化物を生成した（アンモニア除去工程（ストリッピング工程））。
水酸化ナトリウム溶液を添加する前、および曝気開始から１時間経過毎にサンプリングを行い、ポリフッ化ビニリデン製の中空糸膜（三菱レイヨン株式会社製、「ステラポアーＳＡＤＦ」、公称孔径０．４μｍ）を用いて、濾過水と膜分離濃縮水に膜分離し、濾過水中のニッケル（Ｎｉ）およびアンモニア態窒素（ＮＨ３−Ｎ）の濃度を測定した。結果を表２に示す。
【００９５】
また、曝気開始から２時間経過した後の廃水に、酸化剤として次亜塩素酸ナトリウム（ＮａＣｌＯ）溶液（有効塩素濃度１２質量％）を３０ｍＬ添加し、５分間攪拌して酸化処理した。
次亜塩素酸ナトリウム溶液を添加する前の廃水、および次亜塩素酸ナトリウム溶液を添加し、５分間攪拌した後の廃水に含まれるニッケルの不溶化物について、粒子分布を測定した。測定は、レーザ回折／散乱式粒度分布測定装置（株式会社堀場製作所製、「ＬＡ−９２０」）を用い、粒子径は体積を基準として、頻度分布を計測した。モード径（出現比率がもっとも大きい粒子径）を表３に示す。
また、次亜塩素酸ナトリウム溶液を添加した後の廃水を、ポリフッ化ビニリデン製の中空糸膜（三菱レイヨン株式会社製、「ステラポアーＳＡＤＦ」、公称孔径０．４μｍ）を用いて、濾過水と膜分離濃縮水に膜分離し、濾過水中のアンモニア態窒素（ＮＨ３−Ｎ）の濃度を測定した。結果を表３に示す。
【００９６】
【表２】
0005866823.tif 000003
【００９７】
【表３】
0005866823.tif 000004
【００９８】
表２から明らかなように、廃水に水酸化ナトリウムを添加することで、濾過水中のニッケルおよびアンモニア態窒素の濃度が低減されることが示された。
また、表３から明らかなように、水酸化ナトリウムを添加し、ストリッピング処理を行った後の廃水に、次亜塩素酸ナトリウム溶液を添加することで、ニッケルの不溶化物が粗大化することが示された。また、濾過水中のアンモニア態窒素の濃度が、次亜塩素酸ナトリウム溶液を添加する前に比べて低減されていることから、次亜塩素酸ナトリウム溶液によってアンモニアが分解されたことが示された。
【符号の説明】
【００９９】
１、２、３、４、５、６、７  廃水の処理装置
１０  貯留手段
２０  アンモニア除去手段（ストリッピング手段）
２４  散気手段
３０  膜分離手段
４０  ｐＨ調整手段
５０  酸化処理手段
６０  沈殿分離手段
Ｗ０  廃水
Ｗ１  濾過水
Ｗ２  膜分離濃縮水
Ｗ３  処理水
Ｗ４  上澄み液
Ｗ５  沈殿濃縮水
【図１】
0005866823.tif 000005
【図２】
0005866823.tif 000006
【図３】
0005866823.tif 000007
【図４】
0005866823.tif 000008
【図５】
0005866823.tif 000009
【図６】
0005866823.tif 000010
【図７】
0005866823.tif 000011